(57)【要約】      （修正有）【課題】１枚の紙や樹脂等の単一の材料を糊やテープ等の接着剤、さらには特殊な器具を一切使用せずに組立、簡易バッグとしての用途・機能を提供する。【解決手段】正面１・側面３・底面・折りしろ２によって構成される袋状構造を、折りしろ２が二重に重なるスリット１０に正面１からつづく持ち手部を通すことによって、糊やテープ等の接着剤を必要とせずに、簡易バッグとして形態と機能を提供することを特徴とする。【選択図】図１
0003136302.tif 000002
【実用新案登録請求の範囲】
【請求項１】
１枚の薄板状の紙や樹脂等を材料とし、糊やテープ等の接着剤を一切使用せず、簡単な折りと差し込みによって底面と一対の正面ならびに一対の側面による袋状構造を形成する組立式簡易バッグ。
【請求項２】
前記バッグにおいて、底面と一対の側面に設けた折筋により薄く折りたためることを特徴とする、請求項１に記載の組立式簡易バッグ。
【請求項３】
前記バッグにおいて、底面に折筋を設けることにより正面に折筋を発生させないことを特徴とする、請求項２に記載の組立式簡易バッグ。
【請求項４】
前記バッグにおいて、持ち手部分を一対の正面に形成することを特徴とする、請求項３に記載の組立式簡易バッグ。
【請求項５】
前記バッグにおいて、新たな加工や付加材料を必要とせずに持ち手部分の強度アップがその構造として図れることを特徴とする、請求項４に記載の組立式簡易バッグ。
【考案の詳細な説明】
【技術分野】
【０００１】  本考案は、１枚の薄板状の紙や樹脂等を材料とする組立式簡易バッグに関するものである。
【背景技術】
【０００２】  従来、紙や樹脂を主たる材料とする簡易なバッグにおいては、底面と一対の正面ならびに一対の側面を有するバッグ状の形態を構成するには、糊やテープ等の接着剤による、いわゆる貼り加工を用いるものが多かった。【０００３】  折りたたむための構造としては、どちらか一方の正面のＦ部に折筋を入れる必要があった。【０００４】  また、持ち手部分については撚り紐や軟質樹脂製のものを取り付けたものが、一般的であった。【０００５】  さらに、その持ち手部分の取付においては、口ボールを芯材として挟んだり接着するなどの補強を必要とするものが多かった。【０００６】  そのような中で、本願考案に関連する公知技術として実用新案文献１にて示された、手提紐付き紙袋を挙げることができる。【０００７】
【特許文献１】    登録実用新案文献第３１２８５５９号
【考案の開示】
【考案が解決しようとする課題】
【０００８】  上述のような従来技術においては、目的とする用途を果たすべき形態を構成するために、主たる材料である紙や樹脂以外に、糊やテープ等の接着剤や持ち手となる従たる材料を必要とした。【０００９】  また、製造においては、抜き加工・筋入れ加工・折り加工・貼り加工など製袋機による原紙からの一連の加工工程を経て生産されるため、完成品として利用者に提供されるのが一般的であった。【００１０】  このことは、登録実用新案文献第３１２８５５９号の考案においても、同様であった。【００１１】  本考案は、このような点を鑑みて成されたものであり、その目的は糊やテープ等の接着剤を一切使用せずに、１枚の紙や樹脂等という単一の材料のみで簡易バッグとしての用途・機能を提供することを課題とするものである。【００１２】  さらに製造工程を、抜き・筋入れ工程と組立工程に大別出来、さらにはその組立工程において特殊な器具を必要としないため、使用者が必要なときに必要なだけ組み立てるという、半製品での納品を可能にすることである。
【課題を解決するための手段】
【００１３】  請求項１の構成は、１枚の薄板状の紙や樹脂等を材料とし、糊やテープ等の接着剤を一切使用せず、簡単な折りと差し込みによって底面と一対の正面ならびに一対の側面による袋状構造を形成することを特徴とする。【００１４】  請求項１の構成によれば、折り曲げられた側面の折りしろの重なりと差し込みにより、袋状の形態を保持するための工夫がなされている。【００１５】  請求項２の構成は、底面と一対の側面に設けた折筋により薄く折りたためる仕様とすることを特徴とする。【００１６】  請求項２の構成によれば、収納時や保管時、さらには運搬や納品時において、かさばらないほか、どこでも誰でも、必要なときに必要なだけ組立てられるという使い勝手の良さを提供する。【００１７】  請求項３の構成は、底面に折筋を設けることにより正面に折筋を発生させないことを特徴とする。【００１８】  請求項３の構成によれば、底面が折筋によって折れるため正面には折筋が不要となり、完成時および使用時に外観の美しさを提供する。【００１９】  請求項４の構成は、持ち手部分を一対の正面に形成することを特徴とする。【００２０】  請求項４の構成によれば、新たに別の部品を必要とせず、単一材料にて完成品を組立られるという簡便さを提供する。【００２１】  請求項５の構成は、新たな加工や付加材料を必要とせずに持ち手部分の強度アップがその構造として図れることを特徴とする。【００２２】  請求項５の構成によれば、持ち手部分はその構成上、向かい合う側面からつながる折りしろ２面と正面の計３面、三重の構成をなし強度アップが図れるため、新たな補強加工を必要としないメリットを提供する。
【考案の効果】
【００２３】  以上の説明のように、本考案によれば１枚の薄板状の紙や樹脂等という極めて簡便な材料を用いながらも、折り曲げられた側面の折りしろの重なりと差し込みにより、袋状の形態を保持することを可能とする。このため、従来、必要とされた糊やテープ等の接着剤による貼り合わせを一切必要としない。また、その組立において特殊な器具を必要としないため、使用者が必要なときに必要なだけ組み立てられるという、半製品での納品を可能にするものである。
【考案を実施するための最良の形態】
【００２４】  以下、本考案の実施の形態を図面に基づき詳細に説明する。【００２５】  図１〜図８は本考案の第１の実施の形態に係り、図１は外観斜視図、図２は組み立て前の展開図・内面、図３は図２の展開状態からの組立状態への過程を示す図、図４は図３の状態からの組立状態への過程を示す図、図５は図４の状態からの組立完成図、図６は正面の持ち手部分を側面からつながる折りしろのスリット部に通す方法を示す図、図７は組立完成時における持ち手部分周辺（上図）における一点鎖線位置での断面（下図）を示す図、図８は底面と側面に設けた折筋により薄く折りたためる過程を示す図である。【００２６】  なお図１は外観斜視図であるため図２の展開図における外面を主とし、図２〜図５は展開図の内面を主とするものである。このため、図１の山折筋・谷折筋と図２〜図５の山折筋・谷折筋は表裏の関係となるため、折筋を示す罫線が逆となっていることを、予め補足する。図中のリーダー罫部は谷折筋、点罫部は山折筋を表す。【００２７】  図１〜図８に示した形状・仕様は、あくまでも本考案を説明する上で理解しやすくするための一例であり、これに限るものではない。【００２８】  各図に示した各構成部分のサイズは限定されるものではなく、基本的に図１の完成形を満たすものであれば、正面・側面・底面の縦横比率は自由に設定できるものである。【００２９】  また、特に各図における正面１と側面の折りしろ２の幅の関係は、折りしろ２が正面１に設けたスリット１０を越える幅を有すれば、強度的な問題は別として求める構造を得ることができる。また折りしろ２の幅が正面１の幅を越える場合であっても、超過部分を側面３ならびにもう一方の正面１に内接するサイズで折り曲げていけば、求める構造を実現することが出来る。【００３０】  以下、図２から図５までを組立過程に沿って説明する。【００３１】  図２は、組立前の展開図の内面である。【００３２】  図３は、まず側面３と側面の折りしろ２を谷折筋９で折り、次に側面３と底面１１を谷折筋７で折りはじめたところを図示するものである。【００３３】  図４は、図３の状態からさらに折り曲げた上で、正面１を谷折筋８で底面１１から折り曲げたところを図示するものである。この図において、折りしろ２の重なり方については待に図４に示す重なり方でなくても構わない。【００３４】  図５は、図４の状態から谷折筋９・７・８を直角まで折り進め、さらに正面１の持ち手部分１３を二重に重なり合う折りしろ２のスリット１０に通した組立完成形を上から図示したものである。なお図１はこの完成形の斜視図である。【００３５】  図６は、上記の図５の説明において、正面１の持ち手部分１３を二重に重なり合う折りしろ２のスリット１０に通す過程を（Ａ）（Ｂ）（Ｃ）の順で断面図で示したものである。【００３６】  図７は、持ち手部分周辺（上図）における、各一点鎖線位置での断面図（下図）である。断面図が示すように持ち手部分は、折りしろ２が二枚と正面１の持ち手部分１３が重なることで三重構造の持ち手となり、新たな補強材を要することなく荷重部分における強度アップを図ることができる。【００３７】  このように向かい合う側面３の延長にある折りしろ２の二重に重なり合うス��ット１０に、正面１の持ち手部分１３を通すことによって、正面１・側面３・底面１１・折りしろ２の各部分から構成される形状を、糊やテープ等の接着剤を必要とせずに、簡易バッグとしての袋状構造を持つ形態として保持せしめるものである。【００３８】  図８は、底面と側面に設けた折筋で谷折り、山折りとなることでマチを構成する底面１１ならびに側面３が薄く折りたたまれていく様子を（Ａ）（Ｂ）（Ｃ）の順で示すものである。【００３９】  さらに、図８から底面１１が中央の折筋で折れることにより、両正面１には折筋が発生せず、完成時および使用時の外観の美しさが保たれることがわかる。【００４０】  こうしてできあがる本願の組立式簡易バッグは、紙質を選定することで高級感と丈夫さを生み繰り返しの使用にも耐え得るものとなる。また表面にラミネートやプレスコート、ニスなどの加工を施すことで耐摩性や耐水性などをさらに向上させることができる。【００４１】  加えて、単一材料にて構成されているため、廃棄時においても分別の必要がない。
【図面の簡単な説明】
【００４２】
【図１】  本考案の請求項１〜５の実施の形態を示す、組立式簡易バッグの外観斜視図である。
【図２】  組み立て前の状態を示す展開図・内面である。
【図３】  図２の展開状態からの組立状態への過程を示す図である。
【図４】  図３の状態からの組立状態への過程を示す図である。
【図５】  図４の状態からの組立完成図である。
【図６】  正面の持ち手部分を、側面からつながる折りしろのスリット部に通す方法を示す図である。
【図７】  組立完成時における持ち手部分周辺（上図）における一点鎖線位置での断面（下図）を示す図である。
【図８】  底面と側面に設けた折筋により薄く折りたためる過程を示す図である。
【符号の説明】
【００４３】  １    正面
２    側面の折りしろ
３    側面
４    側面を二分する折筋
５    底面と側面を同時に折りたたむために共有する折筋
６    底面と側面を同時に折りたたむたむ折筋
７    側面と底面を構成するための折筋
８    底面と正面を構成するための折筋
９    側面と側面の折りしろを構成するための折筋
１０  スリット部
１１  底面
１２  底面を二分する折筋
１３  持ち手部
【図１】
0003136302.tif 000003
【図２】
0003136302.tif 000004
【図３】
0003136302.tif 000005
【図４】
0003136302.tif 000006
【図５】
0003136302.tif 000007
【図６】
0003136302.tif 000008
【図７】
0003136302.tif 000009
【図８】
0003136302.tif 000010